(57)【要約】【課題】ある記録媒体に記録されている情報を、それとは記録態様の異なる記録媒体に複製する場合でも、複製元の情報を有効に用いて複製することが可能な情報処理装置、情報処理方法、該情報処理方法を実現するためのプログラムを提供する。【解決手段】光ディスクには、映像ファイル４０１〜４０５とプレイリストファイル３０１，３０２とが格納され、プレイリストファイル３０１の内容は、映像ファイル４０１、映像ファイル４０２および映像ファイル４０３を順次再生するというものであり、プレイリストファイル３０２の内容は、映像ファイル４０１、映像ファイル４０３および映像ファイル４０４を順次再生するというものであった場合に、光ディスクから磁気テープへのコピーが指示されると、テープの始端から順番に、プレイリストファイル３０１によって指定された映像ファイル群のコピー、プレイリストファイル３０２によって指定された映像ファイル群のコピーと続き、最後に、光ディスクに格納されていた映像ファイルすべてがコピーされる。【選択図】　　図４
2004103124.tif 000002
【特許請求の範囲】
【請求項１】
複数の主情報および該各主情報を制御するための制御情報が格納された第１の記録媒体から、該格納された主情報および制御情報を読み出す読み出し手段と、
該読み出し手段によって読み出された制御情報を記憶する記憶手段と、
前記読み出し手段によって読み出された主情報を、第１の記録媒体とは記録態様の異なる第２の記録媒体に書き込む書き込み手段と、
前記読み出し手段により、前記第１の記録媒体から制御情報を読み出して、前記記憶手段に記憶し、該記憶された制御情報に基づいて、前記読み出し手段により、前記第１の記録媒体から主情報を読み出して、前記書き込み手段により、前記第２の記録媒体に書き込むように制御する制御手段と
を有することを特徴とする情報処理装置。
【請求項２】
前記制御手段は、さらに、前記読み出し手段により、前記第１の記録媒体に格納されている主情報をすべて読み出して、前記書き込み手段により、前記第２の記録媒体に書き込むように制御することを特徴とする請求項１に記載の情報処理装置。
【請求項３】
前記読み出し手段によって読み出された主情報を加工する加工手段
をさらに有し、
前記書き込み手段は、前記加工手段によって加工された主情報を前記第２の記録媒体に書き込む
ことを特徴とする請求項１または２のいずれかに記載の情報処理装置。
【請求項４】
前記第１の記録媒体は、ランダムアクセス可能な記録媒体であり、
前記第２の記録媒体は、ランダムアクセス不可能な記録媒体である
ことを特徴とする請求項１〜３のいずれかに記載の情報処理装置。
【請求項５】
前記主情報は、映像情報であり、
前記制御情報は、主情報を再生する順序を示す情報である
ことを特徴とする請求項１〜４のいずれかに記載の情報処理装置。
【請求項６】
複数の主情報および該各主情報を制御するための制御情報が格納された第１の記録媒体から、該格納された主情報および制御情報を読み出す読み出し手段と、
該読み出し手段によって読み出された制御情報を記憶する記憶手段と、
前記読み出し手段によって読み出された主情報を、当該装置の外部に出力する出力手段と、
前記読み出し手段により、前記第１の記録媒体から制御情報を読み出して、前記記憶手段に記憶し、該記憶された制御情報に基づいて、前記読み出し手段により、前記第１の記録媒体から主情報を読み出して、前記出力手段により、外部に出力するように制御する制御手段と
を有することを特徴とする情報処理装置。
【請求項７】
請求項６に記載の情報処理装置から出力された主情報を、前記第１の記録媒体とは記録態様の異なる第２の記録媒体に書き込む書き込み手段を有することを特徴とする情報書き込み装置。
【請求項８】
複数の主情報および該各主情報を制御するための制御情報が格納された第１の記録媒体から、該格納された主情報および制御情報を読み出す読み出しステップと、
該読み出しステップによって読み出された制御情報を記憶手段に記憶する記憶ステップと、
前記読み出しステップによって読み出された主情報を、第１の記録媒体とは記録態様の異なる第２の記録媒体に書き込む書き込みステップと、
前記読み出しステップにより、前記第１の記録媒体から制御情報を読み出して、前記記憶手段に記憶し、該記憶された制御情報に基づいて、前記読み出しステップにより、前記第１の記録媒体から主情報を読み出して、前記書き込みステップにより、前記第２の記録媒体に書き込むように制御する制御ステップと
を有することを特徴とする情報処理装置の制御方法。
【請求項９】
複数の主情報および該各主情報を制御するための制御情報が格納された第１の記録媒体から、該格納された主情報および制御情報を読み出す読み出しステップと、
該読み出しステップによって読み出された制御情報を記憶手段に記憶する記憶ステップと、
前記読み出しステップによって読み出された主情報を、当該装置の外部に出力する出力ステップと、
前記読み出しステップにより、前記第１の記録媒体から制御情報を読み出して、前記記憶手段に記憶し、該記憶された制御情報に基づいて、前記読み出しステップにより、前記第１の記録媒体から主情報を読み出して、前記出力ステップにより、外部に出力するように制御する制御ステップと
を有することを特徴とする情報処理装置の制御方法。
【請求項１０】
複数の主情報および該各主情報を制御するための制御情報が格納された第１の記録媒体から、該格納された主情報および制御情報を読み出す読み出し手順と、
該読み出し手順によって読み出された制御情報を記憶手段に記憶する記憶手順と、
前記読み出し手順によって読み出された主情報を、第１の記録媒体とは記録態様の異なる第２の記録媒体に書き込む書き込み手順と、
前記読み出し手順により、前記第１の記録媒体から制御情報を読み出して、前記記憶手段に記憶し、該記憶された制御情報に基づいて、前記読み出し手順により、前記第１の記録媒体から主情報を読み出して、前記書き込み手順により、前記第２の記録媒体に書き込むように制御する制御手順と
をコンピュータに実行させるためのプログラム。
【請求項１１】
複数の主情報および該各主情報を制御するための制御情報が格納された第１の記録媒体から、該格納された主情報および制御情報を読み出す読み出し手順と、
該読み出し手順によって読み出された制御情報を記憶手段に記憶する記憶手順と、
前記読み出し手順によって読み出された主情報を、当該装置の外部に出力する出力手順と、
前記読み出し手順により、前記第１の記録媒体から制御情報を読み出して、前記記憶手段に記憶し、該記憶された制御情報に基づいて、前記読み出し手順により、前記第１の記録媒体から主情報を読み出して、前記出力手順により、外部に出力するように制御する制御手順と
をコンピュータに実行させるためのプログラム。
【発明の詳細な説明】
【０００１】
【発明の属する技術分野】
本発明は、ランダムアクセス可能な記録媒体に記録されている情報をランダムアクセス不可能な記録媒体に複製する情報処理装置、情報処理方法、該情報処理方法を実現するためのプログラムに関する。
【０００２】
【従来の技術】
近年、急速に映像のデジタル化が進んだ結果、記録媒体の役割はデジタル情報を必要な速さで必要な量だけ格納できれば良くなり、従来のアナログ映像信号のように専用の記録媒体である必要がなくなってきた。
【０００３】
そして、デジタルデータを保存する、様々な形態の記録媒体が多数提案されており、その中でも特に、見たい場面をすばやく探し出せるランダムアクセス可能な光ディスクなどの記録媒体が注目されている。
【０００４】
【発明が解決しようとする課題】
しかし、ある記録媒体に記録されている映像情報（デジタルデータファイル）を、それとは記録態様の異なる記録媒体に複製しようとすると、両記録媒体間で、その付加情報の保持方式が異なるため、付加情報の一部が欠落したり、無意味になったりすることがある。
【０００５】
例えば、ランダムアクセス可能な記録媒体において、映像情報の編集にプレイリストを用いるものが提案されている。この方式では、編集時、素材となる映像情報を加工せずに、映像情報の再生手順を示したプレイリストを作成し、再生時、このプレイリストファイルに基づいて、映像情報を指定された順序で再生するようにしている。
【０００６】
このような方式を、そのままランダムアクセス不可能な記録媒体に適応させると、再生時、映像情報の検索に非常に時間を費やし、連続再生することは困難である。
【０００７】
このように、そのまま制御情報を複製しても意味をなさないこともある。
【０００８】
また、複製先の記録媒体によっては、プレイリストファイルのような制御情報を記録する領域がないこともある。
【０００９】
本発明は、この点に着目してなされたものであり、ある記録媒体に記録されている情報を、それとは記録態様の異なる記録媒体に複製する場合でも、複製元の情報を有効に用いて複製することが可能な情報処理装置、情報処理方法、該情報処理方法を実現するためのプログラムを提供することを目的とする。
【００１０】
【課題を解決するための手段】
上記目的を達成するため、請求項１に記載の情報処理装置は、複数の主情報および該各主情報を制御するための制御情報が格納された第１の記録媒体から、該格納された主情報および制御情報を読み出す読み出し手段と、該読み出し手段によって読み出された制御情報を記憶する記憶手段と、前記読み出し手段によって読み出された主情報を、第１の記録媒体とは記録態様の異なる第２の記録媒体に書き込む書き込み手段と、前記読み出し手段により、前記第１の記録媒体から制御情報を読み出して、前記記憶手段に記憶し、該記憶された制御情報に基づいて、前記読み出し手段により、前記第１の記録媒体から主情報を読み出して、前記書き込み手段により、前記第２の記録媒体に書き込むように制御する制御手段とを有することを特徴とする。
【００１１】
請求項２に記載の情報処理装置は、請求項１の情報処理装置において、前記制御手段は、さらに、前記読み出し手段により、前記第１の記録媒体に格納されている主情報をすべて読み出して、前記書き込み手段により、前記第２の記録媒体に書き込むように制御することを特徴とする。
【００１２】
請求項３に記載の情報処理装置は、請求項１または２の情報処理装置において、前記読み出し手段によって読み出された主情報を加工する加工手段をさらに有し、前記書き込み手段は、前記加工手段によって加工された主情報を前記第２の記録媒体に書き込むことを特徴とする。
【００１３】
請求項４に記載の情報処理装置は、請求項１〜３のいずれかの情報処理装置において、前記第１の記録媒体は、ランダムアクセス可能な記録媒体であり、前記第２の記録媒体は、ランダムアクセス不可能な記録媒体であることを特徴とする。
【００１４】
請求項５に記載の情報処理装置は、請求項１〜４のいずれかの情報処理装置において、前記主情報は、映像情報であり、前記制御情報は、主情報を再生する順序を示す情報であることを特徴とする。
【００１５】
上記目的を達成するため、請求項６に記載の情報処理装置は、複数の主情報および該各主情報を制御するための制御情報が格納された第１の記録媒体から、該格納された主情報および制御情報を読み出す読み出し手段と、該読み出し手段によって読み出された制御情報を記憶する記憶手段と、前記読み出し手段によって読み出された主情報を、当該装置の外部に出力する出力手段と、前記読み出し手段により、前記第１の記録媒体から制御情報を読み出して、前記記憶手段に記憶し、該記憶された制御情報に基づいて、前記読み出し手段により、前記第１の記録媒体から主情報を読み出して、前記出力手段により、外部に出力するように制御する制御手段とを有することを特徴とする。
【００１６】
上記目的を達成するため、請求項７に記載の情報書き込み装置は、請求項６に記載の情報処理装置から出力された主情報を、前記第１の記録媒体とは記録態様の異なる第２の記録媒体に書き込む書き込み手段を有することを特徴とする。
【００１７】
上記目的を達成するため、請求項８に記載の情報処理装置の制御方法は、複数の主情報および該各主情報を制御するための制御情報が格納された第１の記録媒体から、該格納された主情報および制御情報を読み出す読み出しステップと、該読み出しステップによって読み出された制御情報を記憶手段に記憶する記憶ステップと、前記読み出しステップによって読み出された主情報を、第１の記録媒体とは記録態様の異なる第２の記録媒体に書き込む書き込みステップと、前記読み出しステップにより、前記第１の記録媒体から制御情報を読み出して、前記記憶手段に記憶し、該記憶された制御情報に基づいて、前記読み出しステップにより、前記第１の記録媒体から主情報を読み出して、前記書き込みステップにより、前記第２の記録媒体に書き込むように制御する制御ステップとを有することを特徴とする。
【００１８】
上記目的を達成するため、請求項９に記載の情報書き込み装置の制御方法は、複数の主情報および該各主情報を制御するための制御情報が格納された第１の記録媒体から、該格納された主情報および制御情報を読み出す読み出しステップと、該読み出しステップによって読み出された制御情報を記憶手段に記憶する記憶ステップと、前記読み出しステップによって読み出された主情報を、当該装置の外部に出力する出力ステップと、前記読み出しステップにより、前記第１の記録媒体から制御情報を読み出して、前記記憶手段に記憶し、該記憶された制御情報に基づいて、前記読み出しステップにより、前記第１の記録媒体から主情報を読み出して、前記出力ステップにより、外部に出力するように制御する制御ステップとを有することを特徴とする。
【００１９】
上記目的を達成するため、請求項１０に記載のプログラムは、複数の主情報および該各主情報を制御するための制御情報が格納された第１の記録媒体から、該格納された主情報および制御情報を読み出す読み出し手順と、該読み出し手順によって読み出された制御情報を記憶手段に記憶する記憶手順と、前記読み出し手順によって読み出された主情報を、第１の記録媒体とは記録態様の異なる第２の記録媒体に書き込む書き込み手順と、前記読み出し手順により、前記第１の記録媒体から制御情報を読み出して、前記記憶手段に記憶し、該記憶された制御情報に基づいて、前記読み出し手順により、前記第１の記録媒体から主情報を読み出して、前記書き込み手順により、前記第２の記録媒体に書き込むように制御する制御手順とをコンピュータに実行させるためのものであることを特徴とする。
【００２０】
上記目的を達成するため、請求項１１に記載のプログラムは、複数の主情報および該各主情報を制御するための制御情報が格納された第１の記録媒体から、該格納された主情報および制御情報を読み出す読み出し手順と、該読み出し手順によって読み出された制御情報を記憶手段に記憶する記憶手順と、前記読み出し手順によって読み出された主情報を、当該装置の外部に出力する出力手順と、前記読み出し手順により、前記第１の記録媒体から制御情報を読み出して、前記記憶手段に記憶し、該記憶された制御情報に基づいて、前記読み出し手順により、前記第１の記録媒体から主情報を読み出して、前記出力手順により、外部に出力するように制御する制御手順とをコンピュータに実行させるためのものであることを特徴とする。
【００２１】
【発明の実施の形態】
以下、本発明の実施の形態を図面に基づいて詳細に説明する。
【００２２】
図１は、本発明の一実施の形態に係る情報処理装置の概略構成を示すブロック図である。
【００２３】
同図において、本実施の形態の情報処理装置は、操作ユニット１と、表示ユニット２と、制御ユニット３と、読み出しユニット４と、デコードユニット５と、録画ユニット６と、ディスク一覧メモリ７と、プレイリストメモリ８とにより、主として構成され、各構成要素１〜８は、バス９を介して相互に接続されている。
【００２４】
また、図１には、コピー元である光ディスク１００と、コピー先である磁気テープ１１０も記載されている。
【００２５】
光ディスク１００には、複数の映像ファイルおよび複数のプレイリストファイルを格納することができる。
【００２６】
磁気テープ１２０には、何も記録されておらず、巻き戻された状態となっている。
【００２７】
操作ユニット１は、図示しない開始ボタンを備えており、そのボタンの操作を監視する。
【００２８】
表示ユニット２は、図示しない第１および第２表示部を備えており、任意の文字列を表示することができ、装置全体の動作の進行状況を表示する。
【００２９】
制御ユニット３は、装置全体の動作を制御する。
【００３０】
読み出しユニット４は、指定されたファイルを読み出し、制御ユニット３またはデコードユニット５へ送信する。
【００３１】
デコードユニット５は、読み出しユニット４から送信されてきた映像ファイルをデコードしてビデオ信号に変換する。
【００３２】
録画ユニット６は、ビデオ信号を磁気テープ１１０に記録する。
【００３３】
ディスク一覧メモリ７は、光ディスク１００に格納されているプレイリストファイルの名前をすべて記憶することができる。また、光ディスク１００に格納されている映像ファイルの名前をすべて記憶することができる。
【００３４】
プレイリストメモリ８は、プレイリストファイルの内容から映像ファイルの名前の一覧を抽出して記憶することができる。
【００３５】
図２は、光ディスク１００に格納されている映像ファイルおよびプレイリストファイルを説明するための図である。
【００３６】
同図に示すように、光ディスク１００には、例えば、映像ファイルが５つ、すなわち映像ファイル４０１〜４０５、プレイリストファイルが２つ、すなわちプレイリストファイル３０１および３０２が格納されている。
【００３７】
図３は、図２の各プレイリストファイルの内容を説明するための図である。
【００３８】
図３において、プレイリストファイル３０１の内容は、映像ファイル４０１、映像ファイル４０２および映像ファイル４０３を順次再生するという内容である。
【００３９】
また、プレイリストファイル３０２の内容は、映像ファイル４０１、映像ファイル４０３および映像ファイル４０４を順次再生するという内容である。
【００４０】
以下、以上のように構成された情報処理装置が実行する制御動作を説明する。
【００４１】
まず、制御ユニット３は、監視指令を操作ユニット１に送信する。操作ユニット１は、監視指令により、開始ボタンの操作を監視し、操作されると監視指令の処理が完了して、その完了を制御ユニット３に通知する。
【００４２】
次に、制御ユニット３は、新規指令をディスク一覧メモリ７に送信する。ディスク一覧メモリ７は、新規指令により、プレイリストファイル一覧指令を読み出し、読み出しユニット４に送信する。読み出しユニット４は、プレイリストファイル一覧指令により、光ディスク１００に格納されているプレイリストファイルの名前の一覧をディスク一覧メモリ７へ返送する。
【００４３】
ディスク一覧メモリ７は、読み出しユニット４から返送されたプレイリストファイルの名前の一覧を記憶する。
【００４４】
また、制御ユニット３は、映像ファイル一覧指令を読み出しユニット４に送信する。読み出しユニット４は、映像ファイル一覧指令により、光ディスク１００に格納されている映像ファイルの名前の一覧をディスク一覧メモリ７へ返送する。ディスク一覧メモリ７は、読み出しユニット４から返送された映像ファイルの名前の一覧を記憶する。
【００４５】
次に、制御ユニット３は、全プレイリストコピー動作指令を自身に送信する。制御ユニット３は、全プレイリストコピー動作指令により、全プレイリストコピー動作を行う。全プレイリストコピー動作については、後述する。
【００４６】
次に、制御ユニット３は、全映像ファイルコピー動作指令を自身に送信する。制御ユニット３は、全映像ファイルコピー動作指令により、全映像ファイルコピー動作を行う。全映像ファイルコピー動作についても、後述する。
【００４７】
以上が、この装置全体の動作であり、コピー先には、コピー元に含まれるすべてのプレイリストに基づく映像ファイルが記録され、それらに続いて、コピー元に含まれるすべての映像ファイルが記録される。
【００４８】
図４は、上記制御動作が完了した後の磁気テープ１１０を説明するための図である。
【００４９】
同図において、テープの始端から順番に、プレイリストファイル３０１によって指定された映像ファイル群のコピー、プレイリストファイル３０２によって指定された映像ファイル群のコピーと続き、最後に、光ディスク１００に格納されていた映像ファイルすべてがコピーされる。
【００５０】
次に、全プレイリストコピー動作について説明する。
【００５１】
制御ユニット３は、全プレイリストコピー動作指令により、プレイリストファイル名一覧指令をディスク一覧メモリ７に送信する。ディスク一覧メモリ７は、プレイリストファイル名一覧指令により、自身に記憶されていたプレイリストファイル名の一覧を制御ユニット３に返送する。
【００５２】
次に、制御ユニット３は、返送されたプレイリストファイル名の一覧のそれぞれについてのプレイリストコピー動作指令を自身に送信する。
【００５３】
以上が、全プレイリストコピー動作であり、本実施の形態では、プレイリストファイル３０１およびプレイリストファイル３０２が指定されてプレイリストコピー動作が行われる。
【００５４】
次に、プレイリストコピー動作について説明する。
【００５５】
制御ユニット３は、プレイリストコピー動作指令により、指定されたプレイリストファイルについての表示１指令を表示ユニット２に送信する。表示ユニット２は、表示１指令により、表示内容であるところの指定されたプレイリストファイルの名前を第１表示部に表示する。
【００５６】
次に、制御ユニット３は、指定されたプレイリストファイルについての新規指令をプレイリストメモリ８に送信する。プレイリストメモリ８は、新規指令により、指定されたプレイリストファイルを読み出して自身に保持する。
【００５７】
次に、制御ユニット３は、映像ファイル名一覧指令をプレイリストメモリ８に送信する。プレイリストメモリ８は、映像ファイル名一覧指令により、映像ファイル名の一覧を制御ユニット３に返送する。
【００５８】
次に、制御ユニット３は、返送された映像ファイル名の一覧のそれぞれについての映像ファイルコピー動作指令を自身に送信する。制御ユニット３は、映像ファイルコピー動作指令により、映像ファイルコピー動作を行う。映像ファイルコピー動作については、後述する。
【００５９】
以上が、プレイリストコピー動作であり、本実施の形態では、プレイリストファイル３０１の場合には、映像ファイル４０１、映像ファイル４０２および映像ファイル４０３が、また、プレイリストファイル３０２の場合には、映像ファイル４０１、映像ファイル４０３および映像ファイル４０４が指定されて映像ファイルコピー動作が行われる。
【００６０】
次に、全映像ファイルコピー動作について説明する。
【００６１】
制御ユニット３は、全映像ファイルコピー動作指令により、映像ファイル名一覧指令をディスク一覧メモリ７に送信する。ディスク一覧メモリ７は、映像ファイル名一覧指令により、自身に記憶されていた映像ファイル名の一覧を制御ユニット３に返送する。
【００６２】
次に、制御ユニット３は、返送された映像ファイル名の一覧のそれぞれについての映像ファイルコピー動作指令を自身に送信する。制御ユニット３は、映像ファイルコピー動作指令により、映像ファイルコピー動作を行う。映像ファイルコピー動作については、後述する。
【００６３】
以上が、全映像ファイルコピー動作であり、本実施の形態では、映像ファイル４０１、映像ファイル４０２、映像ファイル４０３、映像ファイル４０４および映像ファイル４０５が指定されて映像ファイルコピー動作が行われる。
【００６４】
次に、映像ファイルコピー動作について説明する。
【００６５】
制御ユニット３は、映像ファイルコピー動作指令により、指定された映像ファイルについての表示２指令を表示ユニット２に送信する。表示ユニット２は、表示２指令により、表示内容であるところの指定された映像ファイルの名前を第２表示部に表示する。
【００６６】
次に、制御ユニット３は、指定された映像ファイルについての開始指令を読み出しユニット４に送信する。読み出しユニット４は、開始指令により、光ディスク１００から指定された映像ファイルを読み出して、デコードユニット５へ送信し、読み出し動作を開始する。
【００６７】
次に、制御ユニット３は、開始指令をデコードユニット５に送信する。デコードユニット５は、開始指令により、読み出しユニット４から送信されてきた映像ファイルをデコードしてビデオ信号へ変換するデコード動作を開始する。
【００６８】
次に、制御ユニット３は、録画指令を録画ユニット６に送信する。録画ユニット６は、録画指令により、デコードユニット５からのビデオ信号を磁気テープ１１０に記録する録画動作を開始する。
【００６９】
次に、制御ユニット３は、監視指令をデコードユニット５に送信する。デコードユニット５は、監視指令により、デコード動作の状態を監視し、デコードが完了すると処理が完了したことを制御ユニット３に通知する。
【００７０】
次に、制御ユニット３は、停止指令を読み出し、読み出しユニット４に送信する。読み出しユニット４は、停止指令により、読み出し動作を停止する。
【００７１】
次に、制御ユニット３は、停止指令をデコードユニット５に送信する。デコードユニット５は、停止指令により、デコード動作を停止する。
【００７２】
次に、制御ユニット３は、停止指令を録画ユニット６に送信する。録画ユニット６は、停止指令により、録画動作を停止する。
【００７３】
次に、制御ユニット３は、表示を消すように、表示２消去指令を表示ユニット２に送信する。表示ユニット２は、表示２消去指令により、第２表示部の表示を消去する。
【００７４】
以上が、映像ファイルコピー動作である。
【００７５】
図５は、本発明の他の実施の形態に係る情報処理装置の概略構成を示すブロック図である。
【００７６】
同図に示すように、本実施の形態の情報処理装置は、上記実施の形態の情報処理装置、すなわち図１の情報処理装置に対して、光ディスク１００を再生するためのディスク再生装置２０と、磁気テープに記録するためのテープ記録装置３０とを分離した点が異なるのみである。したがって、図５中、図１と同様の機能のブロックには、同一符号を付して、その説明を省略する。
【００７７】
ディスク再生装置２０は、操作ユニット２１と、制御ユニット２２と、入出力インターフェース（Ｉ／Ｆ）２３と、表示ユニット２と、読み出しユニット４と、ディスク一覧メモリ７と、プレイリストメモリ８とにより、主として構成され、各構成要素２１〜２３，２，４，７および８は、バス２４を介して相互に接続されている。
【００７８】
テープ記録装置３０は、操作ユニット３１と、入出力インターフェース（Ｉ／Ｆ）３２と、制御ユニット３３と、デコードユニット５と、録画ユニット６とにより、主として構成され、各構成要素３１〜３３，５および６は、バス３４を介して相互に接続されている。
【００７９】
操作ユニット２１は、コピー開始ボタン（図示せず）を備えており、そのボタンの操作を監視する。
【００８０】
制御ユニット２２は、ディスク再生装置２０全体の動作を制御する。
【００８１】
入出力Ｉ／Ｆ２３は、テープ記録装置３０側の入出力Ｉ／Ｆ３２と接続され、読み出しユニット４によって、光ディスク１００から読み出されたファイルを、入出力Ｉ／Ｆ３２に送信する。
【００８２】
操作ユニット３１は、録画開始ボタン（図示せず）を備えており、そのボタンの操作を監視する。
【００８３】
入出力Ｉ／Ｆ３２は、ディスク再生装置２０側の入出力Ｉ／Ｆ２３から送信されてきたファイルを受信する。
【００８４】
制御ユニット３３は、テープ記録装置３０全体の動作を制御する。
【００８５】
以上のように構成された情報処理装置で、光ディスク１００に記録されたファイルをコピーする場合、たとえば、ディスク再生装置２０の操作ユニット２１に備えられたコピー開始ボタンが押されて、光ディスク１００の再生が開始し、それとともに、テープ記録装置３０の操作ユニット３１に設けられた録画開始ボタンが押されると、コピーの開始が指示される。
【００８６】
これ以降の動作は、上記実施の形態の情報処理装置と同様であるので、その説明は省略する。
【００８７】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００８８】
この場合、記憶媒体から読出されたプログラムコード自体が本発明の新規な機能を実現することになり、そのプログラムコードを記憶した記憶媒体は本発明を構成することになる。
【００８９】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００９０】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００９１】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【００９２】
【発明の効果】
以上説明したように、本発明によれば、ある記録媒体に記録されている主情報を、それとは記録態様の異なる記録媒体に複製する場合に、制御情報に基づいて主情報を複製するようにしたので、制御情報を無駄にすることがない。
【図面の簡単な説明】
【図１】本発明の一実施の形態に係る情報処理装置の概略構成を示すブロック図である。
【図２】複数の映像ファイルと複数のプレイリストファイルが光ディスクに格納されている様子を説明するための図である。
【図３】プレイリストファイルの内容を説明するための図である。
【図４】映像信号が磁気テープに格納されている様子を説明するための図である。
【図５】本発明の他の実施の形態に係る情報処理装置の概略構成を示すブロック図である。
【符号の説明】
１　操作ユニット
２　表示ユニット
３　制御ユニット
４　読み出しユニット
５　デコードユニット
６　録画ユニット
７　ディスク一覧メモリ
８　プレイリストメモリ
２０　ディスク再生装置
２１　操作ユニット
２２　制御ユニット
２３　入出力インターフェース
３０　テープ記録装置
３１　操作ユニット
３２　入出力インターフェース
３３　制御ユニット
１００　光ディスク
１１０　磁気テープ
３０１，３０２　プレイリストファイル
４０１〜４０５　映像ファイル
【図１】
2004103124.tif 000003
【図２】
2004103124.tif 000004
【図３】
2004103124.tif 000005
【図４】
2004103124.tif 000006
【図５】
2004103124.tif 000007